(57)【要約】【課題】  容器および蓋をボール紙等で一体に形成した医療用廃棄物等の収納容器に使用するのに好適なホルダ。【解決手段】  上端の開口部に連設する蓋を外側に折り返した廃棄物収納容器を載置する台座５と、台座の背面側中央部に立設した支柱６と、支柱の下端に後端部を位置させると共に中間部を台座に軸支させた、台座の前面から突出した先端部がペダル部１３とされる揺動部材１０と、前記蓋とは別の容器使用時に容器上端の開口を開閉するのに使用する仮の板蓋７を差し込む把持部１１、１２を先端部および後端部に有し、把持部１２を締め付け自在とした、後端部を支柱の上端に軸支させた蓋把持部材８と、蓋把持部材の後端部から軸支部手前の位置で下方に突出させた支持部に上端部を軸支させると共に、下端部を揺動部材の後端部に軸支させた、ペダル部を足で踏むことによって上方に突き上げられる蓋開閉部材９とからなる。【選択図】  図２
0003115885.tif 000002
【実用新案登録請求の範囲】
【請求項１】
上端の開口部に連設する蓋を外側に折り返した廃棄物収納容器を載置する台座と、台座の背面側中央部に立設した支柱と、該支柱の下端に後端部を位置させると共に中間部を台座に軸支させた、台座の前面から突出した先端部が足で踏むペダル部とされる揺動部材と、前記蓋とは別の廃棄物収納容器使用時に前記容器上端の開口を開閉するのに使用する仮の板蓋を差し込む把持部を先端部および後端部に有し、該後端部の把持部を締め付け自在とした、後端部を支柱の上端に軸支させた蓋把持部材と、該蓋把持部材の後端部の軸支部手前の位置で該後端部から下方に突出させた支持部に上端部を軸支させると共に、下端部を前記揺動部材の後端部に軸支させた、前記ペダル部を足で踏むことによって上方に突き上げられる蓋開閉部材とからなることを特徴とする廃棄物収納容器ホルダ。
【考案の詳細な説明】
【技術分野】
【０００１】
本考案は、医療用廃棄物など取り扱いに注意を要する廃棄物の収納容器を設置するホルダに関する。
【背景技術】
【０００２】
従来より、病院等の医療現場で出る医療用廃棄物は、廃棄物に含まれる血液等を介して病原菌が感染する虞があるため、医療現場に専用の容器を設置して医療用廃棄物を収納し、廃棄物が一杯になったら容器ごと焼却処分に附されている。
【０００３】
従来、この医療用廃棄物収納容器を設置するホルダとして、廃棄物収納容器を載置する台座と、台座の背面側中央部に立設した支柱と、該支柱の下端に後端部を位置させると共に中間部を台座に軸支させた、台座の前面から突出した先端部が足で踏むペダル部とされる揺動部材と、後端部を支柱の上端に軸支させた、容器上端の開口を開閉する蓋の蓋把持部材と、蓋把持部材の後端部の軸支部手前の位置で後端部から下方に突出させた支持部に上端部を軸支させると共に、下端部を揺動部材の後端部に軸支させた蓋開閉部材とからなるものが提案されている（例えば特許文献１を参照）。
【０００４】
上記提案のホルダでは、ペダル部を足で踏むことによって揺動部材により蓋開閉部材が上方に突き上げられ、蓋把持部材が蓋開閉部材との軸支部を中心として回動して、蓋把持部材に把持された蓋が上方に開き、ペダル部から足を放すと、蓋把持部材が重量で支軸部を中心として上記とは逆方向に回動して、蓋把持部材に把持された蓋が下方に閉まり、容器の上端の開口に対し蓋が手を触れずに開閉される。
【０００５】
しかしながら提案のホルダは、プラスチック等の材料で作製した比較的厚く重い容器および蓋を対象としており、蓋把持部材は、後端部に設けた差し込み部に蓋の後端部を差し込み、先端部に設けた掴み部で蓋の上面中央部に成形した凹部内の凸部を両側から挟持することによって蓋を把持している。また容器が医療用廃棄物で一杯になると、蓋把持部材から蓋を外して容器に被せ、蓋と容器をそれらの固定部で固定することによって容器に蓋を取り付けている。
【０００６】
ところで、医療用廃棄物収納容器の蓋を容器上端の開口部に連設して、蓋を外側に折り返した状態で容器をホルダに設置し、容器使用時に容器に連設した蓋とは別の仮の板蓋で容器上端の開口を開閉するようにし、容器が廃棄物で一杯になったとき、容器に連設した蓋を折り戻して容器上端の開口を覆うようにすれば、容器およびこれに一体の蓋をボール紙等で軽量に作製することができ、容器の重量、コストの面で有益であるが、提案のホルダは、このような蓋を連設した廃棄物収納容器に使用するようになっておらず、未だ好適なホルダは提案されていない。
【特許文献１】特開２００５−１１０９９９号公報
【考案の開示】
【考案が解決しようとする課題】
【０００７】
本考案の課題は、上記の問題点に鑑み、医療用廃棄物を初めとする廃棄物の収納容器を設置するホルダであって、容器および蓋をボール紙等で一体に形成した収納容器に使用するのに好適なホルダを提供することである。
【課題を解決するための手段】
【０００８】
上記課題を解決するために、本考案の廃棄物収納容器ホルダは、上端の開口部に連設する蓋を外側に折り返した廃棄物収納容器を載置する台座と、台座の背面側中央部に立設した支柱と、該支柱の下端に後端部を位置させると共に中間部を台座に軸支させた、台座の前面から突出した先端部が足で踏むペダル部とされる揺動部材と、前記蓋とは別の廃棄物収納容器使用時に前記容器上端の開口を開閉するのに使用する仮の板蓋を差し込む把持部を先端部および後端部に有し、該後端部の把持部を締め付け自在とした、後端部を支柱の上端に軸支させた蓋把持部材と、該蓋把持部材の後端部の軸支部手前の位置で該後端部から下方に突出させた支持部に上端部を軸支させると共に、下端部を前記揺動部材の後端部に軸支させた、前記ペダル部を足で踏むことによって上方に突き上げられる蓋開閉部材とからなることを特徴とする。
【考案の効果】
【０００９】
本考案によれば、ホルダに、板蓋を先端部および後端部の把持部に差し込むことによって把持することができる蓋把持部材を設けたので、ホルダに設置した廃棄物収納容器の使用時に、容器の蓋とは別の仮の板蓋を蓋把持部材に把持させて、ペダル部の足踏み操作で容器上端の開口を開閉するようにできる。これにより、容器に蓋を一体に連設して、その蓋を外側に折り返して容器をホルダに設置する用法ができる、ボール紙製等の軽量な廃棄物収納容器を使用することができ、容器の重量およびコストを低減できる。
【考案を実施するための最良の形態】
【００１０】
以下、本考案の実施例を図面に基づいて説明する。図１は、本考案の廃棄物収納容器ホルダの一実施例を示す斜視図、図２は、ホルダを下部に設置された揺動部材の手前の位置から見たＡ−Ａ線矢視図である。
【００１１】
本考案のホルダ１は、四角形の枠体２内の左右両側および中央に医療用廃棄物収納容器２０を載置する載置部３、４をそれぞれ設けた台座５を備え、台座５の背面側中央部に支柱６が立設され、支柱６の上端に容器２０の使用時にのみ用いる仮の板蓋７を把持する蓋把持部材８が設けられ、支柱６内に板蓋７の蓋開閉部材９が設けられ、台座５の中央の載置部４内に揺動部材１０が設けられている。ホルダ１の全体はステンレス板で作られており、板蓋７は硬質樹脂の板が用いられている。
【００１２】
容器２０は、図４に示すように、その開口部に蓋２１が連設されており、蓋２１を外側に折り返した状態で台座５に載置する。容器２０内にはビニール袋２２を入れて、容器２０内に収納する医療用廃棄物から染み出した液体分が直に容器２０に触れるのを防ぐと共に、ビニール袋２２の上端部を外側に折り返して、折り返された蓋２１が元に戻らないように押さえる。さらにビニール袋２２の内側に上端開口の中箱２３を入れて、医療用廃棄物中の尖った物や硬質物によるビニール袋２２の損傷を防ぐと共に、ビニール袋２２を容器２０の内面に密着させる。容器２０は蓋２１を含めてボール紙で一体に作製する。この容器２０は、医療用廃棄物の収納に使用中、蓋把持部材８に把持された板蓋７で容器２の上端の開口を開閉する。
【００１３】
上記の中央の載置部４は断面コ字状のフレームからなり、中空の角柱体とされた支柱６を該載置部４の後端部にリベット止めして、載置部４と支柱６とを予め組み立て体としてある。この載置部４を枠体２内にその背面側中央部に設けた切欠き穴を通って挿入し、支柱６の前側下端部に設けられた切り欠き部を枠体２の背面側上面に嵌合し、載置部４の前端部上面および後端部上面と枠体２とをそれぞれＬ字金具４ａでビス止め固定して、台座５の中央に載置部４を設置すると共に背面側中央に支柱６を立設し、ホルダ１を組み立てる。
【００１４】
蓋把持部材８は、先端部および後端部の下面に板蓋７の把持部１１および１２をそれぞれ設けた高さの低い断面コ字状のフレームからなる。この蓋把持部材８の後端部を支柱６の上端部前面に設けた切欠き部を通って支柱６内に挿入し、蓋把持部材８の最後端寄りの位置から下方向に突設した左右の取り付け片８ａを支柱６の上端の左右の側壁にピン８ｂにより取り付けて、蓋把持部材８を支柱６の上端に鉛直面内で回動自在に軸支している。
【００１５】
把持部１１は、蓋把持部材８の先端部下面を後方に伸びるＬ字状の突片からなり、蓋把持部材８と把持部１１との間隙に左右横方向から板蓋７の先端部を差し込むことにより、板蓋７の先端部が把持部１１に把持される。把持部１２は、蓋把持部材８の後端部下面を後方に伸びるＬ状の突片１２ａと、該突片１２ａの下方に間隙を開けて前方に伸びるＬ字状の突片１２ｂとからなり、突片１２ｂは蓋把持部材８の後端部を貫通した締め付けねじ１２ｃに固定して、他方の突片１２ａとの間でねじ１２ｃにより締め付け自在としてある。突片１２ａと１２ｂとの間隙に左右横方向から板蓋７の後端部を差し込み、手でねじ１２ｃを回して突片１２ｂを突片１２ａに締め付けることで、板蓋７の後端部が把持部１２に把持される。なお、板蓋７の大きさを多少変えた場合に対処できるように、ねじ１２ｃが貫通する蓋把持部材８の穴は長穴状としておくことが好ましい。
【００１６】
蓋開閉部材９は、高さの低い断面コ字状の細長いフレームからなり、その上端部および下端部をそれぞれ蓋把持部材８および揺動部材１０に取付けることによって、支柱６の空間内に斜めに配置されている。蓋把持部材８の後端部には、図２および図３（ｂ）に示すように、支柱６への軸支部の手前位置から下方向に左右の取り付け片８ｃが突設されており、この左右の取り付け片８ｃの間に蓋開閉部材９の上端部を挿入し、蓋開閉部材９の上端部を貫通する軸９ａで取り付け片８ｃに回動自在に取り付けて、蓋開閉部材９の上端部が蓋把持部材８に軸支されている。支柱６の上端部前面の切欠き部は、支柱６の前側のフレームを折り曲げて塞いであるが、折り曲げたフレーム部６ａには、蓋開閉部材９の両側部を収容する切欠き穴６ｂを２条設けてある。蓋開閉部材９は突き上げ動作をすると、揺動して切欠き穴６ｂから離れる。
【００１７】
揺動部材１０は、高さの低い断面コ字状のフレームからなり、揺動部材１０の中間部を貫通するピン１０ａで中央の載置部４の側壁に軸支して、載置部４内に揺動自在に設けてある。揺動部材１０の後端部は支柱６の下端内に位置し、図３（ａ）に示すように、この後端部を蓋開閉部材９の下端部内に挿入し、該後端部を貫通する軸１０ｂで蓋開閉部材９の下端部の側壁に軸支している。揺動部材１０の先端部は、枠体２の前面に設けた切欠き穴２ａを通って前方に突出し、足で踏むペダル部１３とされている。なお、ペダル部１３と切欠き穴２ａとの間への万一の足先の挿入を防ぐために、図２に示すように、ペダル部１３の基端部に束フレーム１３ａを設けることができる。
【００１８】
従って、ペダル部１３を足で踏むと、揺動部材１０が軸１０ａを中心に揺動して後端部が上昇し、揺動部材１０の後端部に軸支された蓋開閉部材９が突き上げられて、蓋把持部材８の取り付け片８ｃに上端部が軸支された蓋開閉部材９が上方向に揺動し、図４（ｂ）に示すように、蓋把持部材８が上方向の力を受けて支柱６への軸支部を中心に略鉛直まで回動し、蓋把持部材８に把持された蓋板７が略鉛直に開く。ペダル部１３から足を放すと、蓋把持部材８が重量で支軸部を中心として上記とは逆方向に回動し、図４（ａ）に示すように、蓋把持部材８に把持された板蓋７が下方に閉まり、容器２０の上端の開口２０ａに対し板蓋７が手を触れずに開閉される。
【００１９】
そして容器２０が医療用廃棄物で一杯になったら、容器２０内の中箱２３の外側のビニール袋２２の上端部を内側に折り戻して、ビニール袋２２を中箱２３上で縛り、ついで折り返されていた蓋２１を折り戻して容器２０の蓋をする。この容器２０に連設された蓋２１は、把手２１ａ１と、該把手の両側に切り込み２１ａ２を設けた蓋片２１ａを容器２０の一方の相対する側に備え、上記切り込み２１ａ１に挿入可能な分割片２１ｂ２を切り込み２１ｂ２によって設けた蓋片２１ｂを容器２０の他方の相対する側に備えている。一方の蓋片２１ａ同士を重ね、重ねた蓋片２１ａの切り込み２１ａ２に他方の蓋片２１ｂの分割片２１ｂ１を挿入すると、把手２１ａ１を有する蓋２１が組み立たり、容器２０が蓋をされる。したがって、重ねた把手２１ａ１を手で持って、容器２０を持ち上げてホルダ１から外し、容器２０を運搬することができる。
【図面の簡単な説明】
【００２０】
【図１】本考案の廃棄物収納容器ホルダの一実施例を示す斜視図である。
【図２】図１のＡ−Ａ線矢視図である。
【図３】図１のホルダの一部分を示す斜視図で、（ａ）はホルダの蓋開閉部材と揺動部材との取り付け部を示し、（ｂ）はホルダの蓋把持部材と蓋開閉部材との取り付け部を示す。
【図４】図１のホルダの使用法を示す説明図で、（ａ）はホルダに設置した廃棄物収納容器の開口部に対し仮の板蓋を閉じたところを示し、（ｂ）はホルダに設置した廃棄物収納容器の開口部に対し仮の板蓋を開いたところを示す。
【符号の説明】
【００２１】
１      ホルダ                        ３、４  載置部
５      台座                          ６      支柱
７      板蓋                          ８      蓋把持部材
９      蓋開閉部材                    １０    揺動部材
１３    ペダル部                      ２０    収納容器
２１    蓋
【図１】
0003115885.tif 000003
【図２】
0003115885.tif 000004
【図３】
0003115885.tif 000005
【図４】
0003115885.tif 000006